(57)【要約】【課題】保管や移動などの取り扱いが容易で、かつ安全性にも配慮した建方用架台を提供する。【解決手段】鉄骨材Ａを載置する桁部２、桁部２の長手方向の両端部において桁部２を支える脚部３，３、脚部３，３の下端部において脚部３の下端部を拘束するベース部４、および移動する際のキャスター５を備えて構成する。キャスター５は、桁部２の長手方向に隣接する脚部３，３にそれぞれ取り付けられたブラケット７，７とブラケット７，７間に取り付けられた回転ロッド８を介して脚部３，３に取り付ける。キャスター５，５は回転ロッド８と共に回転して脚部３の外側に突出および脚部３の内側に収納可能に構成する。【選択図】図１
2011226119.tif 000002
【特許請求の範囲】
【請求項１】
建築資材を載置する桁部、当該桁部の長手方向の両端部において当該桁部を支える脚部、当該脚部の下端部において当該脚部の下端部を拘束するベース部、および移動する際のキャスターを備えて構成され、前記キャスターは、前記桁部の長手方向に隣接する脚部にそれぞれ取り付けられたブラケットと当該ブラケット間に取り付けられた回転ロッドを介して前記脚部に取り付けられ、かつ前記ロッドと共に回転して前記脚部の外側に突出および前記脚部の内側に収納可能に構成されてなることを特徴とする建方用架台。
【請求項２】
請求項１記載の建方用架台において、キャスターを脚部の外側に突出させた状態および前記脚部の内側に収納させた状態でそれぞれ固定するストッパーを備えていることを特徴とする建方用架台。
【発明の詳細な説明】
【技術分野】
【０００１】
本発明は建方用架台に関し、主として鉄骨工事などにおいて柱や梁などの鉄骨材を仮置きするための架台として用いられる。
【背景技術】
【０００２】
例えば、鉄骨材の建方工事においては、運搬車によって現地に搬入された柱や梁などの鉄骨材はクレーン等の重機によって荷降しされ、ブラケット等の金物や吊り足場などの仮設材を取り付けた後、再びクレーン等の重機によって吊り上げられ、それぞれの位置に設置される。
【０００３】
その際、荷降しされた鉄骨材は「うま」といわれる建方用架台の上に一時的に置かれ、その上でブラケット等の金物や吊り足場などの仮設材の取付けが行なわれる。
【０００４】
従来、鉄骨材などを仮置きするための建方用架台としては、例えば例えば図７（ａ）に図示するような架台が知られている。図において、符号２０は柱や梁などの鉄骨材Ａを載せる桁部、符号２１は桁部２０をその両端部において桁部２０支える脚部であり、脚部２１は桁部２０の両端部にその両側斜め下方に対称に垂設されている。
【０００５】
そして、符号２２は脚部２１の底板をなすベース部であり、ベース部２２は各脚部２１の下端部を連結するように矩形枠状に形成されている。
【０００６】
また、この種の架台は、桁部２０の上に置かれる鉄骨材Ａの重量に充分耐えられるようにＨ形鋼などの形鋼材から構成され、かなり重い(100Ｋｇ程度)ため、脚部の下端部に移動用のキャスター２３が取り付けられている。
【０００７】
そして、使用する際は、図７（ｂ）に図示するように所定間隔をおいて配置され、柱や梁などの鉄骨材Ａは桁部２０，２０間に横たえて置かれる。また、移動する際は、図７（ｃ）に図示するようにキャスター２３が接地するように傾け、その状態で引っ張るか押して移動する。
【先行技術文献】
【特許文献】
【０００８】
【特許文献１】特開平１１−３３６９９３号公報
【発明の概要】
【発明が解決しようとする課題】
【０００９】
しかし、キャスター２３は脚部２１の外側に突出した状態で取り付けられ、しかも固定式であるため、保管に際して邪魔になる等の課題があった。また、作業中に建築資材をぶつけて破損したり、あるいは作業員が躓いて転倒したりけがをする等のおそれがあり、安全面にも課題があった。
【００１０】
本発明は、以上の課題を解決するためになされたもので、保管や移動などの取り扱いが容易で、しかも安全性にも配慮した建方用架台を提供することを目的とする。
【課題を解決するための手段】
【００１１】
請求項１記載の建方用架台は、建築資材を載置する桁部、当該桁部の長手方向の両端部において当該桁部を支える脚部、当該脚部の下端部において当該脚部の下端部を拘束するベース部、および移動する際のキャスターを備え、前記キャスターは、前記桁部の長手方向に隣接する脚部にそれぞれ取り付けられたブラケットと当該ブラケット間に取り付けられた回転ロッドを介して前記脚部に取り付けられ、かつ前記回転ロッドと共に回転して前記脚部の外側に突出および前記脚部の内側に収納可能に構成されてなることを特徴とするものである。
【００１２】
本発明は、使用する際は、作業員がキャスターに建築資材をぶつけて破損したり、作業員がキャスターに躓いて転倒したりけがをする等の事故を未然に防止することができ、また保管する際は嵩張らずコンパクトに保管できるようにしたものである。
【００１３】
請求項２記載の建方用架台は、請求項１記載の建方用架台において、キャスターを脚部の外側に突出した状態および前記キャスターを前記脚部の内側に収納した状態でそれぞれ固定するストッパーを備えていることを特徴とするものである。
【発明の効果】
【００１４】
本発明は、キャスターが脚部の内側に収納できるように取り付けられていることで、使用する際は作業員がキャスターに建築資材をぶつけて破損したり、躓いて転倒する等の事故を未然に防いで安全に使用することができ、また保管する際は嵩張らずコンパクトに保管することができる等の効果がある。
【００１５】
また、キャスターを脚部の外側に突出させた状態および前記キャスターを脚部の内側に収納した状態で固定するストッパーが取り付けられているので、移動中にキャスターが脚部の内側に収納されて移動できなくなったり、あるいは使用中にキャスターが動いてがたつくこともない。
【図面の簡単な説明】
【００１６】
【図１】建方用架台を示し、（ａ）はその正面図、（ｂ）はその側面図である。
【図２】キャスターの取付け部を示し、図１（ｂ）における一部拡大図である。
【図３】キャスターの動作を示し、（ａ）はキャスターの使用時を、（ｂ）はキャスターの収納時を示す図１（ａ）における一部拡大図である。
【図４】キャスターとキャスターを脚部に取り付ける回転ロッドを示し、（ａ）はその正面図、（ｂ）は側面図である。
【図５】キャスターを脚部に取り付けるブラケットを示し、（ａ）はその正面図、（ｂ）はその側面図である。
【図６】（ａ）は建方用架台の移動する状態を示す正面図、（ｂ）は建方用架台の使用する状態を示す正面図である。
【図７】従来の建方用架台の一例を示し、（ａ）はその正面図、（ｂ）は建方用架台の使用する状態を示す正面図、（ｃ）は建方用架台の移動する状態を示す正面図である。
【発明を実施するための形態】
【００１７】
図１〜図５は、本発明の一実施形態を示し、図１（ａ）は建方用架台の正面図、図１（ｂ）はその側面図である。また、図２は、図１（ｂ）における一部拡大図、図３（ａ）と図３(ｂ)はそれぞれ、キャスターの使用時と収納時を示す図１（ａ）における一部拡大図である。
【００１８】
さらに、図４（ａ），（ｂ）は、キャスターとキャスターを取り付ける回転ロッドを示す正面図と側面図、そして図５（ａ），（ｂ）はキャスターを取り付けるブラケットを示す正面図と側面図である。
【００１９】
図において、建方用架台１は、柱や梁などの鉄骨材Ａを横たえて載せる桁部２、当該桁部２の両端部において桁部２の両端部を支える脚部３，３、当該脚部３，３の下端部において脚部３，３の下端部を拘束するベース部４および移動する際のキャスター５を備えて自立可能に構成されている。
【００２０】
桁部２は水平に設置され、脚部３，３は桁部２の長手方向の両端部にその両側の斜め下方向に対称に計４本垂設されており、さらにベース部４は平面にみて各脚部３の下端部間を連結するように矩形枠状に形成され、その各コーナ部において各脚部３の下端部に接合されている。  
【００２１】
また、桁部２のほぼ中央部の両側に補強プレート６ａが取り付けられ、桁部２の長手方向に隣り合う脚部３，３間に補剛桁６ｂが取り付けられている。  
【００２２】
また、桁部２と脚部３はそれぞれＨ形鋼と山形鋼から形成され、ベース部４は平鋼から形成され、さらに桁部２と脚部３、脚部３とベース部４はそれぞれ溶接などによって一体的に組み立てられている。
【００２３】
キャスター５は、桁部２の長手方向に隣り合う脚部３，３の下端部にブラケット７と回転ロッド８を介して取り付けられている。
【００２４】
ブラケット７は、脚部３とベース部４の内側に沿って所定長連続するほぼＬ字状に形成され、かつ脚部３の内側に複数の取付けボルト９によって取り付けられている。
【００２５】
回転ロッド８は、桁部２の長手方向に隣り合う脚部３，３の下端部間に桁部２と平行に設置され、その両端部８ａ，８ａはブラケット７，７に回転自在に軸支されている。
【００２６】
また、回転ロッド８の両端部８ａ，８ａには回転ロッド８と共に回転ロッド８の円周方向に回転して脚部３とベース部４間を変位する可動部１０，１０が脚部３およびベース部４に近接して取り付けられ、当該各可動部１０にキャスター５がそれぞれ取り付けられている。
【００２７】
そして、可動部１０が脚部３側に変位して脚部３に添え付けられたとき、キャスター５は脚部３の外側に突出し、一方、可動部１０がベース部４側に変位してベース部４に添え付けられたとき、キャスター５は脚部３の内側に収納されるようになっている。
【００２８】
また、可動部１０は、脚部３とベース部４にそれぞれ添え付けられた状態で固定するストッパー１１を備えている。ストッパー１１は回転ロッド８と平行に取り付けられ、可動部１０が脚部３側に変位して脚部３に添え付けられたときは、脚部３の外側に脚部３の軸直角方向に突出することで、可動部１０、すなわちキャスター５はベース部４側に戻らないようになっている。
【００２９】
一方、可動部１０が脚部４側に変位して脚部４に添え付けられたときは、ブラケット７に形成されたピン孔７ａに挿入されることで、可動部１０、すなわちキャスター５は脚部３側に戻らないようになっている。なお、符号１２はストッパー１１をその先端方向に常時押し付けるスプリングである。
【００３０】
このような構成において、建方用架台１を使用する際は、図６（ｂ）に図示するように桁部２，２を互いに平行な状態にして複数所定間隔をおいて配置する。そして、桁部２，２間に鉄骨材Ａを横たえて置く。
【００３１】
また、建方用架台１を移動する際は、６（ａ）に図示するように可動部１０をキャスター５と共に回転ロッド８の円周方向に回転して脚部３側に変位させることにより、キャスター５を脚部３の外側に突出させる。
【００３２】
そして、ストッパー１１を脚部３の外側に突出してベース部４側に戻らないように固定する。そして、建方用架台１をキャスター５側に傾けてキャスター５を接地させ、その状態で押すか引いて移動することができる。
【産業上の利用可能性】
【００３３】
本発明は、キャスターを脚部の内側に収納することが可能なことにより、使用する際は安全に使用することができ、また保管する際は嵩張らずコンパクトに保管することができる。
【符号の説明】
【００３４】
１  建方用架台
２  桁部
３  脚部
４  ベース部
５  キャスター
６ａ  補強プレート
６ｂ  補強梁
７  ブラケット
８  回転ロッド
９  取付けボルト
１０  可動部
１１  ストッパー
１２スプリング
【図１】
2011226119.tif 000003
【図２】
2011226119.tif 000004
【図３】
2011226119.tif 000005
【図４】
2011226119.tif 000006
【図５】
2011226119.tif 000007
【図６】
2011226119.tif 000008
【図７】
2011226119.tif 000009